(57)【特許請求の範囲】
【請求項１】
衣服等に配置される紐の端末に対し、該端末を一端開口から内部に入れ、内部で抜け止め状態に係止することで取り付けられるカバー本体を備えた紐端末カバーにおいて、
前記カバー本体の外面に突設された基部、及び該基部から折り曲げられて前記外面との間に差込用の隙間を形成している弾性片部からなるフック部と、
前記カバー本体の外面に設けられて前記弾性片部の真下に位置している凸部、及び前記弾性片部の外面に設けられて前記凸部と係脱自在に嵌合される形状となっている凹部とを有し、
紐端末カバー同士は、互いの前記弾性片部を相手側の前記隙間に差し込むと、一方カバー本体の前記凸部と他方カバー本体における前記弾性片部の凹部との嵌合、及び一方カバー本体における前記弾性片部の凹部と他方カバー本体の前記凸部との嵌合により回動可能に連結されることを特徴とする紐端末カバー。
【請求項２】
前記カバー本体が扁平筒状をなし、前記一端開口と共に他端側も開口しており、該他端開口に装着されてカバー本体の内周面との間に前記紐の端末を挟着する係止部材を有している請求項１に記載の紐端末カバー。
【発明の詳細な説明】
【０００１】
【発明の属する技術分野】
本発明は、例えば、衣服又は袋体等の開口部回りに配置される引帯や引紐、或いはコード紐やロープ紐（本明細書ではこれらを総称して紐という）の端末に取り付けられる紐端末カバーに関するものである。
【０００２】
【従来の技術】
衣服や袋体等に使用される紐には、図９（ａ）に例示される如く衣類４０の胴部や衿回り、又は袋体の開口部回りに用いられて、紐４１の両端末４１ａ或いは一方の端末４１ａを前側の導出孔から引き出した状態に配置されるものがある。このような場合は、右側拡大図の如く紐４１の端末４１ａの手前に結び目４２を作ると外観を損なうことから、左側拡大図の如く紐端末カバー４３が装着される。この紐端末カバー４３は、外観処理と共に紐端末の解れを防止したり、紐４１の端末を引き寄せる際に摘み易くしたり、更に、衣類４０側の紐導出孔に端末４１ａが不用意に引き込まれないよう機能するものである。構造的には、片側を細くした円形や楕円形の筒状からなり、紐４１の端末４１ａを一端側開口から筒内に入れると共に、抜け止め用結び目や金具等で径大部分を形成することにより抜け止めして装着されるものが多い。
【０００３】
【発明が解決しようとする課題】
ところで、従来の紐端末カバー４３は、例えば、特開平１１−９９００８号公報に記載されているように、紐４１への取付構造や紐端末の抜け強度を如何に強くするかという観点から色々改善されてきている。しかしながら、従来品にあっては、紐４１の端末側が衣服４０の紐導出孔から大きく引き出されている場合、紐端末カバー４３が紐導出孔を支点として振り子のように揺れて、違和感を与えるばかりでなく邪魔になる。その予防方法としては、図９（ｂ），（ｃ）の如く両側の紐４１の端末部分を縛って、紐の振り子現象を防ぐこともある。この場合は、紐４１の両側を図９（ｂ）の如く軽く結ぶと外れ易く、逆に、図９（ｃ）の如く強く結ぶと簡単に外れず、衣服４０を脱ぐときに煩わしくなったり、安全性からも好ましくないものとなる。
【０００４】
本発明は上記した背景に鑑みてなされたものであり、その目的は紐の導出部分が長く引き出された場合にも、紐端末カバーの振り子現象を簡易に、かつワンタッチ操作により防止可能にすることにある。他の目的は、前記紐端末カバーの振り子現象を防止する上で、色々な態様での使い方を可能にすることで、商品品質や使い勝手をより向上することにある。更に他の目的は、以下に説明する内容の中で明らかにする。
【０００５】
【課題を解決するための手段】
上記目的を達成するため本発明の要部は、図面に例示される如く、衣服等に配置される紐４１の端末４１ａに対し、該端末４１ａを一端開口３ａから内部に入れ、内部で抜け止め状態に係止することで取り付けられるカバー本体２を備えた紐端末カバー１において、前記カバー本体２の外面に突設された基部４ａ、及び該基部から折り曲げられて前記外面との間に差込用の隙間８を形成している弾性片部４ｂからなるフック部４と、前記カバー本体２の外面に設けられて前記弾性片部の真下に位置している凸部７、及び前記弾性片部４ｂの外面に設けられて前記凸部と係脱自在に嵌合される形状となっている凹部９とを有し、紐端末カバー同士は、互いの前記弾性片部を相手側の前記隙間に差し込むと、一方カバー本体の前記凸部７と他方カバー本体における前記弾性片部の凹部９との嵌合、及び一方カバー本体における前記弾性片部の凹部９と他方カバー本体の前記凸部７との嵌合により回動可能に連結される構成である。
【０００６】
この構造によれば、紐端末カバー１は、２個を組として、衣服に配置された紐４１の両端末４１ａにそれぞれ取り付けられる。そして、紐端末４１ａの外観処理、紐端末の解れ防止、紐端末を引き寄せる際の操作性向上、紐導出孔への不用意な引き込み阻止等、従来と同様に機能する。それに加え、本発明品は、紐の端末４１ａ側が衣服等の紐導出孔４０ａから大きく引き出されているとき、次の態様により紐端末カバー１の振り子現象に対しワンタッチ操作により対処可能にする。
【０００７】
紐端末カバー１がフック部４を衣服等の開口縁４０ｂに対し、フック部４の差込操作により掛け止めされる。このフック部４は、弾性片部４ｂが基部４ａ側を支点として弾性揺動されることから、衣服等の布の厚にかかわらず、平面部との間の隙間８を容易に押し広げ所定の挟持力にて開口縁４０ｂに掛け止め可能にする。この掛け止めにより紐端末カバー１の不用意な動きが規制される。ここで、フック部４を掛け止める箇所として、衣服の例では、前側同志を合わせる前縁部、下縁部、外ポケットを形成している開口縁部等が挙げられる。なお、このようなフック部４は、少なくとも、フック部４とカバー本体２との何れかの対向面に設けられ、前記隙間８の一部を狭める凸部７を有している。これは、例えば、この種の端末カバー１が用途的なデザイン制約から一般的に外径５〜１５ｍｍ、全長１０〜２５ｍｍと小さくなる関係で、フック部の掛け止め力を外観を損なわずに増大可能にすることと、外力による不用意な外れを吸収し易くするためである。
【０００８】
同時に、紐４１の各端末４１ａに装着された両側の紐端末カバー１同志を、各フック部４の係脱操作により連結する。このように、両側の紐端末カバー１同志を連結する態様では、例えば、衣服に適用された紐４１の場合、衣服の前側の縁部同志を両紐端末カバー１を介し閉じることになる。しかし、この種の紐端末カバー１は紐４１のうち、紐導出孔４０ａから外へ余裕を持って引き出された端末４１ａに装着されている関係で、両側の紐端末カバー１同志を連結しても衣服の前側の縁部同志を密接した状態に規制することはない。この点は、例えば、紐導出孔４０ａから導出した上流側（つまり紐導出孔４０ａの付近）の紐部分同志を結び目や他の部材等により結合する場合のように威圧感を与えたり、安全性を損なうことがないことを意味し、本発明品の利点の１つである。また、フック部４同志の係脱構造としては、カバー本体２の外面の一部に設けられた凸部７と、前記フック部４の弾性片部４ｂ外面に設けられて前記凸部７と係脱自在に嵌合される凹部９とから構成すると、外観を損なわずに簡易に実現されるものである。
【０００９】
以上の紐端末カバー１としては、カバー本体２が扁平筒状をなし、一端開口３ａと共に他端側も開口３ｂしており、該他端開口３ｂに装着されてカバー本体２の内周面との間に紐４１の端末４１ａを挟着する係止部材１０を有していことが好ましい。扁平筒状の構成は、外観的な斬新性だけではなく、本発明の各フック部４を一体形成する上で、最適な態様となる。係止部材１０の構成は、紐４１がその端末４１ａを結び目を作ることによりカバー本体２から抜け止めされて取り付けられる従来構成に対し、最大外径寸法を小さくできると同時に、前記扁平筒状の構成に適した形態となるからである。
【００１０】
【発明の実施の形態】
以下、本発明の好適な形態を添付図面に基づいて詳細に説明する。この形態は、本発明の好適な具体例であり、本発明の技術的範囲を制約するものではない。
図１乃至図８は本発明形態としての紐端末カバーを示している。このうち、図１と図７は図８の全体使用図の要部を拡大したしたもので、各図（ａ）は前記紐端末カバーの使用状態例、各図（ｂ）はその作動を示す図である。図２（ａ），（ｂ），（ｃ）は前記紐端末カバー単品の上面及び左右側面図である。図３（ａ），（ｂ）は 図２（ａ）のＡ−Ａ線と図２（ｂ）のＢ−Ｂ線断面図である。図４（ａ），（ｂ）は紐端末カバーを紐の端末に装着した状態を図３と同様な態様で示す図である。図５は前記紐端末カバーのカバー本体を示し、同（ａ）は横半断面図、同（ｂ）は縦断面図、同（ｃ）は左側面図、同（ｄ）は右側面図である。図６は前記紐端末カバーの係止部材を示し、同（ａ）は上面図、同（ｂ）は正面図、同（ｃ）は左側面図、同（ｄ）は右側面図である。
【００１１】
図１乃至図８において、紐端末カバー１は、カバー本体２及び係止部材１０からなり、何れもが樹脂成形品である。大きさは、図面上拡大されているが、適用される紐４１に対応して設計されて、長さ寸法が約２０ｍｍで、最大幅及び厚さが約１３ｍｍという比較的小さなものである。外観的には、カバー本体２が扁平な筒状とっており、係止部材１０の一部だけがカバー本体２と共に輪郭を形成している。なお、形態例の紐端末カバー１は、紐４１が二本又は二重（紐の折り返した箇所）の端末４１ａに対し取り付けられる例であるが、紐４１が一本で構成されることもある。
【００１２】
ここで、カバー本体２は、図２，図３，図５に示される如く、上面２ａ及び下面２ｂと、前面２ｃ及び後面２ｄとで、扁平筒状を形成しており、紐４１の端末４１ａを挿入する一端開口３ａが他端開口３ｂよりも少しだけ小さく形成されると共に、上面２ａに突設されたフック部４を有している。筒内にあって、上下面２ａ，２ｂの内面には波状の凹凸部５が一端開口３ａの手前から、中間より少し他端開口３ｂ側まで連続して形成されている。この凹凸部５は紐４１の端末４１ａを抜けにくくする部分である。前後面２ｃ，２ｄの内面には、対向した状態で爪部６が他端開口３ｂの手前に形成されている。この爪部６は、係止部材１０の対応部と係合し抜け止めする部分である。
【００１３】
これに対し、筒外面にあって、前後面２ｃ，２ｄは上下面２ａ，２ｂの縁部まで丸みが付けられ、上下面２ａ，２ｂはその縁部を除いて平面部に形成されている。上面２ａの平面部には凸部７が設けられている。この凸部７は、小さな半球形になっており、フック部４の弾性片部４ｂの先端側で、かつ真下に位置している。フック部４は、上面２ａに一体に形成されており、上面２ａから立ち上がった基部４ａと、該基部４ａから折り曲げられた弾性片部４ｂとで構成されている。基部４ａは、略コ形状をなし、上面２ａのうち、一端開口３ａに近い箇所に位置して、コ形の両片部を上面２ａに結合し、コ形状の中間片部を上面２ａの前記水平部上に配置している。弾性片部４ｂはそのコ形状の中間片部に接続されて、上面２ａの前記水平部と略平行で、かつ他端開口３ｂ側へ延設されている。弾性片部４ｂの先端は前記凸部７よりも少し他端開口３ｂ側に達しており、外観的に凸部７が弾性片部４ｂにて見えなくなっている。なお、この先端の内面はテーパー４ｃが付けられている。そして、上面２ａと弾性片部４ｂとの間には、基部４ａの高さに対応した差込用の隙間８が設けられている。この隙間８は、テーパー４ｃの先端で広く、凸部７の部分で狭くなっている。
【００１４】
また、弾性片部４ｂの外面には凹部９が設けられている。この凹部９は、凸部７の真上に位置し、半球状の窪みに形成されている。そして、カバー本体２は、フック部４及び凸部７と凹部８を利用して、他のカバー本体２のフック部４と係脱自在に連結されるように構成されている。すなわち、このカバー本体２同志の連結は、図７（ａ）に例示される如く、例えば、下側のカバー本体２に対し上側のカバー本体２を連結する場合、上側のカバー本体２のフック部４の弾性片部４ｂを他方つまり下側のカバー本体２のフック部４の隙間８に差し込むと、下側のカバー本体２の凸部７と上側のカバー本体２の凹部９とが嵌合し、同時に、上側のカバー本体２の凸部７と下側のカバー本体２の凹部９とが嵌合される。この２箇所の嵌合は、カバー本体２同志を互いのフック部４を介して係脱自在に連結すると共に、離れる方向のテンションを受けると、容易に外れるものである。
なお、以上のようなフック部４は、各請求項の作用が得られる範囲でカバー本体２に合わせて任意の形状に設計されるものである。また、この形態例では弾性片部４ｂが一端開口３ａ側から他端開口３ｂ側へ延びる構成であるが、逆に、弾性片部４ｂが他端開口３ｂ側から一端開口３ａ側へ延びるようにしてもよい。
【００１５】
一方、係止部材１０は、図３，図４，図６に示される如く、頭部１１と、ガイド部１２と、板バネ部１３と、喰付き部１４とからなり、頭部１１を除いてカバー本体２の扁平筒内に差し込まれる。頭部１１は外面円弧となっており、他端開口３ｂに一体化されて、その開口を塞ぐ。ガイド部１２は、頭部１１の内面に突出されて、対向した部分に上記爪部６と係合する爪部１５を形成している。板バネ部１３は、節１３ａを有し、その節１３ａを支点として弾性的に縮まるようになっている。喰付き部１４は、上記凹凸部５と対向配置される側に複数の針状アンカー１６を形成しており、該アンカー１６により上記凹凸部５との間に紐４１の端末４１を挟み込んで紐４１を抜け止め可能にするものである。
【００１６】
次に、以上のカバー部材２及び係止部材１０の組立と、その組立時に行われる紐４０への取付操作要領を概説する。この紐端末カバー１は、係止部材１０がカバー部材２に他端開口３ｂから差し込まれ、かつ最終段階で強く押圧されると、爪部１５が上記爪部６に係合されて一体物となる。図２，図３はそのようにして組み立てた状態で示している。通常、この組立操作は、例えば、本発明品を使用する製造工程、つまり衣服や袋体等に紐４１を組み付ける際にその紐４１への取付と同時に行われることになる。その際の要領を２本の紐４１の例で説明すると、先ず、紐４１の端末４１ａを揃えた状態から、端末４１ａをカバー本体２の一端開口３ａから他端開口３ｂへ挿入する。他端開口３ｂに位置する各端末４１ａの間に喰付き部１４を配置し、かつ各アンカー１６を対応する端末４１ａに当てた状態にする。その状態から、紐４１を挿入とは逆の引き抜き方向へ強く引っ張る。すると、端末４１ａは、アンカー１６に喰い付かれた状態で、カバー本体２の扁平筒内へ捻りを伴って引き込まれ、凹凸部５とアンカー１６との間に所定挟持力にて挟着される。そして、頭部１１は他端開口３ｂへ押すと、板バネ部１３を縮小しながら他端開口３ｂに接近し、最終段階で上記したように爪部１５が爪部６にクリック感を伴って係合し、他端開口３ｂを閉じることになる。図４はそのようにして、紐端末カバー１が紐４１の端末４１ａに装着された状態で示している。
【００１７】
図１は本発明品の使用例である。すなわち、これは、図８の下側の拡大図に対応する模式図であり、紐端末カバー１が衣服等の導出孔４０ａから比較的長めに導出されている紐４１の端末４１ａに装着されている。この場合は、その紐端末カバー１が同図（ａ）の如くフック部４を衣服等の開口縁４０ｂ（前側の縁部、下側の縁部、ポケット等の縁部等であってもよい）に対し、上記隙間８に開口部４１ｂの一部を差し込んだ状態で掛け止めされる。このフック部４による掛け止めでは、同図（ｂ）の如く、弾性片部４ｂが基端４ａ側を支点として弾性揺動されて、開口縁４０ｂを上面２ａの平面部との間に挟み込むと共に、上記した隙間８のうち狭くなっている凸部７の部分で強く挟み込む。そして、この掛け止め状態では、紐端末カバー１が位置規制されているため従来の如くぶらつくことがなく、導出孔４０ａと紐端末カバー１との間の紐１の部分を適度なループ形状にして邪魔にならないよう、すっきりとした状態に規制できる。また、この構造では、紐端末カバー１が振動等の外力を受けたとき、前記凸部７の部分を支点として揺動し易くなっていることから、外れる方向への外力を直に受ける場合を除き外れにくくなっている。逆に、外す場合は、紐１を引っ張ることにより、開口縁４０ｂより容易に掛け外される。
【００１８】
図７は本発明品の他の使用例である。すなわち、これは、図８の上側の拡大図に対応する模式図であり、両側の紐端末カバー１同志を連結する場合の例である。この場合は、図７（ａ）の如く、紐４１の各端末４１ａに装着された両側の紐端末カバー１同志が近づけられて、段落００１３で述べた通り、例えば、上側のカバー本体２のフック部４の弾性片部４ｂを下側のカバー本体２のフック部４の隙間８に差し込む。すると、両紐端末カバー１は、下側のカバー本体２の凸部７と上側のカバー本体２の凹部９とが嵌合し、同時に、上側のカバー本体２の凸部７と下側のカバー本体２の凹部９とが嵌合されて、連結されることになる。この連結状態では、紐端末カバー１が位置規制されているため図１と同じくぶらつくことがなく、導出孔４０ａと各紐端末カバー１との間の紐１の部分を緩いループ形状にして邪魔にならないよう、すっきりとした状態に規制できる。また、この構造では、図７（ｂ）の如く紐端末カバー１が振動等の外力を受けたとき、前記凸部７の部分を支点として適度に回動揺動し易くなっていることから、外れる方向への外力を直に受ける場合を除き外れにくくなっている。逆に、外す場合は、例えば、両側の紐１を摘んで離間する方向へ引っ張ることにより、前記各嵌合が容易に外されることになる。しかも、この連結構造では、両フック部４が図７（ａ）の状態から図７（ｂ）の如く略９０度回転した状態に限らず、上側のフック部４が図７（ｂ）の状態から更に前方へ押されると、下側のフック部４が上側のフック部４のうち、基部４ａと凸部７との間に挟持されることになり、両者を離間する方向へ直に引っ張られない限り不用意に外れないようになっている。
【００１９】
なお、上記形態の紐端末カバー１は、装飾機能も重視されることから、全面にシボ加工が施されたり、一部に彫刻等で装飾処理されるものである。また、紐４１の端末４１ａの取付構造自体については、これに限られず、他の公知のものに適宜に変更可能なものである。但し、この形態の構造では、上記したようにワンタッチ操作により紐４１に取り付けることができるという利点がある。
【００２０】
【発明の効果】
以上説明したとおり、本発明の紐端末カバーは、従来と同様に紐端末の外観処理、紐端末の解れ防止等の基本機能に加え、紐の端末側が紐導出孔から大きく引き出されているとき、次のような対処方法を可能にし、紐端末カバーの振り子現象を簡易かつワンタッチ操作により阻止して信頼性と商品価値を向上できる。
すなわち、紐端末カバーがフック部を衣服等の開口縁に対し、フック部の差込操作により掛け止めされる。このフック部は、基端側を支点として弾性揺動されることから、衣服等の布の厚にかかわらず、平面部との間の隙間を容易に押し広げ所定の挟持力にて開口縁に掛け止め可能にし、この掛け止めにより紐端末カバーの不用意な動きを規制できる。
また、紐の両側の紐端末カバー同志を、各フック部の係脱操作により連結すると、この連結により紐端末カバーの不用意な動きを規制できる。このように規制した場合にも、紐端末カバーは紐のうち、紐導出孔から外へ余裕を持って引き出された端末に装着されている関係で、例えば、紐導出孔から導出した上流側の紐部分同志を結び目等により連結する場合のように威圧感を与えたり、安全性を損なうことがない。
【図面の簡単な説明】
【図１】 本発明形態の紐端末カバーの使用例及び作動を示す図である。
【図２】 上記紐端末カバー単品の上面及び左右側面図である。
【図３】 図２（ａ）のＡ−Ａ線と図２（ｂ）のＢ−Ｂ線断面図である。
【図４】 図３と同様な状態で紐端末カバーを紐の端末に装着した図である。
【図５】 上記紐端末カバーのカバー本体を示す構成図である。
【図６】 上記紐端末カバーの係止部材を示す構成図である。
【図７】 本発明形態の紐端末カバーの他の使用例及び作動を示す図である。
【図８】 図１と図７を説明するための本発明品の使用例を示す図である。
【図９】 従来の問題点を説明するための図である。
【符号の説明】
１は紐端末カバー、２はカバー本体、３は係止部材
２ａ，２ｂは平面部を持つ上面と下面（外面）
３ａ，カバー本体の一端開口、３ｂはカバー本体の他端開口
４はフック部、６は爪部、７は凸部、９は凹部
１１は係止部材の頭部、１５は爪部、１６はアンカー
４１は紐、４１ａは紐の端末
【図１】
0004473984.tif 000002
【図２】
0004473984.tif 000003
【図３】
0004473984.tif 000004
【図４】
0004473984.tif 000005
【図５】
0004473984.tif 000006
【図６】
0004473984.tif 000007
【図７】
0004473984.tif 000008
【図８】
0004473984.tif 000009
【図９】
0004473984.tif 000010